(57)【要約】【課題】  偏向感度が良好で、偏向電力を低減でき、生産性良好で、低コストのカラー受像管装置を提供する。【解決手段】  偏向ヨーク４を構成するフェライトコア４０は、内周面に畝状の複数の凸部４１を備える。中心軸と直交する断面において、フェライトコア４０の外周面の断面形状は略円形、凸部を除いたフェライトコアの内周面の断面形状は、フェライトコアの大径側端近傍で略円形、小径側端近傍と大径側端近傍との間の部分で略長方形である。【選択図】  図２
2005322627.tif 000002
【特許請求の範囲】
【請求項１】
略ろうと形状を有するフェライトコアであって、
内周面に周方向に配列された複数の凸部を有し、
前記凸部はいずれも前記フェライトコアの小径側端と大径側端とを結ぶ方向に沿った畝状であり、
前記フェライトコアの中心軸と直交する断面において、前記フェライトコアの外周面の断面形状は略円形であり、
前記中心軸と直交する断面において、前記複数の凸部を除いた前記フェライトコアの内周面の断面形状は、前記大径側端近傍で略円形であり、前記小径側端近傍と前記大径側端近傍との間の部分で略長方形であることを特徴とするフェライトコア。
【請求項２】
前記中心軸上の少なくとも１点での前記中心軸と直交する断面において、複数の前記凸部の先端を順に結んで得られる閉曲線の前記中心軸と直交する第１軸上の寸法をＷＨ、前記中心軸及び前記第１軸と直交する第２軸上の寸法をＷＶとしたとき、ＷＨ＞ＷＶである請求項１に記載のフェライトコア。
【請求項３】
前記複数の凸部を除いた前記内周面の断面形状が略長方形である断面を有する前記中心軸上の範囲内に、ＷＨ＞ＷＶである前記断面を有する請求項２に記載のフェライトコア。
【請求項４】
前記小径側端近傍での前記中心軸と直交する断面において、前記複数の凸部を除いた前記フェライトコアの内周面の断面形状は略円形である請求項１に記載のフェライトコア。
【請求項５】
請求項１に記載のフェライトコアと、
前記中心軸と直交する第１軸にほぼ沿った垂直偏向磁界を発する垂直偏向コイルと、
前記中心軸及び前記第１軸と直交する第２軸にほぼ沿った水平偏向磁界を発する水平偏向コイルと、
前記垂直偏向コイルと前記水平偏向コイルとを絶縁する絶縁枠と
を備える偏向ヨーク。
【請求項６】
前面パネル及びファンネルからなる外囲器と、
前記ファンネルのネック部内に収納され、電子ビームを放出する電子銃と、
前記ファンネルの外周面上に搭載され、前記電子ビームを水平方向及び垂直方向に偏向させる偏向ヨークと
を備えるカラー受像管装置であって、
前記偏向ヨークが請求項５に記載の偏向ヨークであることを特徴とするカラー受像管装置。
【発明の詳細な説明】
【技術分野】
【０００１】
本発明は、テレビジョンまたはコンピュータディスプレイ等に用いられるカラー受像管装置に関する。また、本発明は、このカラー受像管装置に使用される偏向ヨーク及びフェライトコアに関する。
【背景技術】
【０００２】
偏向電力の低減及び偏向ヨークの発熱抑制のために、偏向ヨークを構成するフェライトコアの内面に、受像管の管軸方向に向かって突出する複数の凸部を設けた、いわゆるスロットコアが特許文献１に開示されている。このスロットコアを有する偏向ヨークの、電子銃寄りの位置での管軸に垂直な面での断面図を図１７に示す。図１７に示すように、偏向ヨークが搭載される受像管の管軸をＺ軸、Ｚ軸と直交する水平方向軸をＸ軸、Ｚ軸及びＸ軸と直交する垂直方向軸をＹ軸とする。図１７において、９０はフェライトコアであり、９１はその内面に設けられた複数の凸部である。周方向に隣り合う凸部９１の間の溝内に巻線を嵌め込ませて水平偏向コイル９７と垂直偏向コイル９８とが巻装されている。９９は水平偏向コイル９７と垂直偏向コイル９８とを絶縁するための絶縁枠である。各凸部９１は管軸を含む面に沿って、フェライトコア９０の電子銃側端からスクリーン側端までの管軸方向の全領域にわたって延設されている。このような凸部９１を設けることにより、凸部９１を設けない場合に比べて、フェライトコア９０を受像管に近づけることができるため、偏向効率を改善でき、偏向電力の低減に有利である。また、コイル９７，９８に磁束が鎖交しにくくなるので、渦電流損失が低減し、偏向ヨークの発熱も低減できる。
【０００３】
偏向ヨークは、カラー受像管のファンネルの外周面上に搭載される。偏向ヨークが搭載される部分のファンネルの外周面の管軸に垂直な面での断面形状は、従来は一般に円形であった。しかしながら、蛍光体スクリーンが形成された矩形の表示画面に一致するように、電子銃が内蔵されるネック部を除いて、径変化部分の断面形状をネック部側から蛍光体スクリーン側に向かって、円形から略長方形に徐々に変化させたファンネルが使用されるようになっている。これに合致するように、図１８に示されているように、フェライトコア９０、水平偏向コイル９７、垂直偏向コイル９８、及び絶縁枠９９の断面形状を略長方形とした偏向ヨークが提案されている（例えば、特許文献２参照）。この偏向ヨークでは、フェライトコア９０の内周面に形成された凸部９１の先端を結ぶ包絡線９４もまた略長方形である。このように、略長方形のファンネルの外周面の断面形状に合わせて偏向ヨークを構成する各構成部材の断面形状を略長方形とすることにより、偏向ヨーク、特にフェライトコア９０の凸部９１を電子ビームに接近させることができるので、偏向感度が更に向上し、且つ偏向電力を更に低減できる。
【０００４】
更に、図１９に示すような偏向ヨークが特許文献３で提案されている。この偏向ヨークは、フェライトコア９０の凸部９１を除いた内周面（凸部９１間の溝の底面を順に結んで得られる滑らかな仮想の曲面）及び外周面のＸＹ面での断面形状がともに円形である点で図１８に示した偏向ヨークと異なる。凸部９１の先端を結ぶ包絡線９４は搭載されるファンネルの外周面の断面形状に合うような略長方形である。従って、図１９の偏向ヨークは、図１８の偏向ヨークと同様に、偏向感度を向上させ、且つ偏向電力を低減することができる。
【０００５】
更に、図１９の偏向ヨークに使用されるフェライトコア９０は、そのＸＹ面での断面形状が凸部９１の先端を結ぶ包絡線９４を除いて円形であるので、図１８の偏向ヨークに使用されるフェライトコアに比べて設計が容易で、寸法安定性が良好である。
【０００６】
また、フェライトコアの焼成工程において、図１９のフェライトコアは図１８のフェライトコアに比べて利点を有する。その理由は以下の通りである。フェライトコアを焼成する際、未硬化のフェライトコアは、その外周面と全周にわたって接触することができる開口を有するすり鉢状の固定治具にて保持される必要がある。図１８のフェライトコアに対しては、その略長方形断面の外周面に合致するような専用の固定治具が必要である。これに対して、図１９のフェライトコアに対しては、フェライトコアの外径にかかわらず、略円錐面を有する汎用の共通の固定治具を用いることができる。また、共通の固定治具を用いることができるので、固定治具の熱容量が同じになり、複数種類のフェライトコアを同時に焼成する場合にも焼成条件の設定が容易である。このように図１９のフェライトコアであれば焼成工程を低コストで効率よく行うことができる。また、焼成炉内におさまる固定治具の個数も効率よい状態で一定に保つことができる。
【特許文献１】実開昭６１−５６７５７号公報
【特許文献２】国際公開第ＷＯ９９／２６２７０号パンフレット
【特許文献３】特開２００４−１４３４９号公報
【発明の開示】
【発明が解決しようとする課題】
【０００７】
しかしながら、図１９のフェライトコアは、管軸方向の位置にかかわらず、凸部９１を除いた内周面及び外周面の断面形状が円形であるのに対して、凸部９１の先端を結ぶ包絡線９４が略長方形であるので、凸部９１の先端をファンネルの外周面に接近させようとすると、凸部９１の突出長が長くなり、凸部９１が欠けることなどによりフェライトコアの製造工程での歩留まりが低下するという問題がある。
【０００８】
本発明は、従来の上記の問題を解決し、内周面に畝状の凸部を備えたフェライトコアを有し、偏向感度が良好で、偏向電力を低減でき、生産性良好で、低コストのカラー受像管装置を提供することを目的とする。また、本発明は、このようなカラー受像管装置を実現するための偏向ヨーク及びフェライトコアを提供することを目的とする。
【課題を解決するための手段】
【０００９】
本発明のフェライトコアは、略ろうと形状を有するフェライトコアであって、内周面に周方向に配列された複数の凸部を有する。前記凸部はいずれも前記フェライトコアの小径側端と大径側端とを結ぶ方向に沿った畝状である。前記フェライトコアの中心軸と直交する断面において、前記フェライトコアの外周面の断面形状は略円形である。前記中心軸と直交する断面において、前記複数の凸部を除いた前記フェライトコアの内周面の断面形状は、前記大径側端近傍で略円形であり、前記小径側端近傍と前記大径側端近傍との間の部分で略長方形である。ここで、「大（小）径側端近傍」とは、大（小）径側端に面取りなどが形成されている場合には、それらが形成された領域は除かれることを意図している。
【００１０】
本発明の偏向ヨークは、上記の本発明のフェライトコアと、前記中心軸と直交する第１軸にほぼ沿った垂直偏向磁界を発する垂直偏向コイルと、前記中心軸及び前記第１軸と直交する第２軸にほぼ沿った水平偏向磁界を発する水平偏向コイルと、前記垂直偏向コイルと前記水平偏向コイルとを絶縁する絶縁枠とを備える。
【００１１】
また、本発明のカラー受像管装置は、前面パネル及びファンネルからなる外囲器と、前記ファンネルのネック部内に収納され、電子ビームを放出する電子銃と、前記ファンネルの外周面上に搭載され、前記電子ビームを水平方向及び垂直方向に偏向させる偏向ヨークとを備える。そして、前記偏向ヨークが上記の本発明の偏向ヨークであることを特徴とする。
【発明の効果】
【００１２】
本発明のフェライトコアは、内周面に畝状の複数の凸部を備えたスロットコアでありながら、生産性が良く、低コストである。しかも、偏向効率を改善でき、偏向電力を低減できるというスロットコア本来の効果をも奏する。
【００１３】
また、本発明の偏向ヨーク及びカラー受像管装置は、低消費電力、低発熱、低コスト、軽量化を実現できる。
【発明を実施するための最良の形態】
【００１４】
以下、本発明を実施の形態を示しながら説明する。
【００１５】
図１は本発明に係るカラー受像管装置の一例の概略構成を示す片断面図である。
【００１６】
図１に示すように、このカラー受像管装置のカラー受像管は、内面に蛍光体スクリーン１Ａが形成された前面パネル１とファンネル２とが接合された外囲器を備える。ファンネル２の最細部であるネック部３内には、３本の電子ビーム７（３本の電子ビーム７は水平方向の一直線上に配列されるため、図では手前の１本の電子ビームのみが示されている。）を放出する電子銃６が収納されている。図示したように、このようなカラー受像管の管軸をＺ軸、Ｚ軸と直交する水平方向軸をＸ軸、Ｘ軸及びＺ軸と直交する垂直方向軸をＹ軸とするＸＹＺ直交座標系を設定する。
【００１７】
ファンネル２の前面パネル１との接合部とネック部３との間の外径が変化する部分の外周面上に偏向ヨーク４が搭載されている。偏向ヨーク４は、水平偏向コイル４７と垂直偏向コイル４８とフェライトコア４０とを備えている。水平偏向コイル４７はＹ軸にほぼ沿った水平偏向磁界を発し、垂直偏向コイル４８はＸ軸にほぼ沿った垂直偏向磁界を発する。電子銃６から射出される３本の電子ビーム７はこの水平偏向磁界及び垂直偏向磁界により水平方向及び垂直方向に偏向されて、蛍光体スクリーン１Ａ上を走査する。水平偏向コイル４７と垂直偏向コイル４８との間には、樹脂製の絶縁枠４９が設けられている。絶縁枠４９は、水平偏向コイル４７と垂直偏向コイル４８との間の電気的な絶縁状態を維持すると共に、両偏向コイル４７、４８を支持する役割を果たしている。
【００１８】
ネック部３の外周面上には、画面中央における電子ビームの静コンバーゼンス調整およびピュリティー調整を行うためのＣＰＵ（Ｃｏｎｖｅｒｇｅｎｃｅ  ａｎｄ  Ｐｕｒｉｔｙ  Ｕｎｉｔ）５が設けられれている。ＣＰＵ５は電子ビームに対して磁界を印加する２極、４極、６極の各マグネットリングを備えており、電子銃６が内蔵されているファンネル２のネック部３の外周面上に取り付けられる。
【００１９】
次に、本発明のカラー受像管装置に搭載される偏向ヨーク４について更に詳細に説明する。
【００２０】
（実施の形態１）
図２は、本発明の実施の形態１に係る偏向ヨークに使用されるフェライトコア４０の斜視図である。フェライトコア４０は、磁性材料であるフェライトを全体として略ろうと形状を有するように焼き固めて製造される。ここで「略ろうと形状」とは、巨視的に見たとき外径及び内径が中心軸方向の一方端から他方端に向かって増加（又は減少）していることを意味する。外周面、内周面、及び中心軸方向の端面に微小な突起や窪みが存在していても良い。フェライトコア４０は、その中心軸をカラー受像管のＺ軸と一致させてカラー受像管に搭載される。従って、以下、フェライトコア４０の中心軸をＺ軸と呼ぶ。図２にフェライトコア４０が搭載されるカラー受像管のＸＹＺ軸を併せて示している。
【００２１】
図３は、本実施の形態１に係るフェライトコア４０のＺ軸及び垂直方向軸（Ｙ軸）を含む面（ＹＺ面）での片断面図である。フェライトコア４０のＹＺ面での断面形状はＺ軸に対して対称であるのでＺ軸に対して一方の側の断面形状のみを示している。図示したように、フェライトコア４０の小径側端の位置をＺ＝０とし、これより大径側をＺ軸の正の方向とする。本実施の形態１のフェライトコア４０のＺ軸方向寸法（長さ）は４８ｍｍである。
【００２２】
図４は、フェライトコア４０の小径側端近傍の位置（Ｚ＝３ｍｍ）でのＺ軸に垂直な面（ＸＹ面）での断面図、図５は、フェライトコア４０の略中央位置（Ｚ＝２５ｍｍ）でのＸＹ面での断面図、図６は、フェライトコア４０の大径側端近傍の位置（Ｚ＝４３ｍｍ）でのＸＹ面での断面図である。
【００２３】
図２〜図６に示すように、フェライトコア４０は、その内周面に周方向に配列された複数の凸部４１を備える。各凸部４１は、ほぼＺ軸に向かって突出し、且つＺ軸を含む面にほぼ沿った畝状に形成されている。Ｚ軸方向において、凸部４１は、小径側端（Ｚ＝０ｍｍ）からＺ＝３６ｍｍの位置の範囲に形成されており、大径側端近傍のＺ＝３８〜４８ｍｍの範囲には形成されていない。
【００２４】
図４〜図６に示すようなＸＹ断面において、複数の凸部４１を除いたフェライトコア４０の内周面４３の断面形状は、図４に示すフェライトコアの小径側端近傍及び図６に示す大径側端近傍で略円形であり、これらの間の部分で図５に示すように略長方形である。なお、「複数の凸部４１を除いたフェライトコア４０の内周面４３」とは、図４及び図５に示すように凸部４１が形成されている断面においては、凸部４１間の溝４２の底面を順に結んで得られる滑らかな仮想の曲面を意味し、図６に示すように凸部４１が形成されていない断面においてはフェライトコア４０の内周面そのものを意味する。本実施の形態１において、ＸＹ断面における内周面４３の断面形状は、図３において、小径側のＺ＝０〜５ｍｍの範囲（領域Ｉ）では略円形（図４参照）であり、Ｚ＝５〜３６ｍｍの範囲（領域II）では略長方形（図５参照）であり、大径側のＺ＝３８〜４８ｍｍの範囲（領域IV）では略円形（図６参照）である。Ｚ＝３６〜３８ｍｍの範囲（領域III）では、内周面４３の断面形状は略長方形から略円形へ徐々に遷移している。なお、内周面４３の断面形状が「略長方形」であるとは、図５に示すように、断面形状が、Ｘ軸、Ｙ軸、対角軸上にそれぞれ中心をもつ半径ＲＬ，ＲＳ，ＲＤを有する３つの円弧を組み合わせた形状である場合を含む。
【００２５】
また、図４及び図５に示すように、ＸＹ断面において、複数の凸部４１の先端を順に結んで得られる閉曲線（凸部４１の先端の包絡線）４４のＸ軸（第１軸）上における寸法をＷＨ、Ｙ軸（第２軸）上における寸法をＷＶとしたとき、ＷＨ＞ＷＶである。閉曲線４４は、凸部４１が存在しないＸＹ断面（例えば図６）では定義されない。図４及び図５に示されているように、閉曲線４４のＸ軸より上側の部分のみに着目すると、この部分は略Ｍ字形状を有している。すなわち、閉曲線４４のＹ軸方向寸法は、Ｙ軸からわずかに離れたＸ軸上の２地点にて最大となる。
【００２６】
更に、図４〜図６に示すようなＸＹ断面において、フェライトコア４０の外周面の断面形状はＺ軸上の位置にかかわらず略円形である。
【００２７】
図７は、上記のフェライトコア４０を備えた本実施の形態１に係る偏向ヨーク４のＺ＝２５ｍｍの位置でのＸＹ断面図である。図示したように、垂直偏向コイル４８は、その巻線をフェライトコア４０の隣り合う凸部４１間の溝内に嵌め込むようにしてトロイダル型に巻装されている。垂直偏向コイル４８よりもＺ軸寄りの位置に水平偏向コイル４７がその巻線をサドル型に巻装されて配置されている。垂直偏向コイル４８と水平偏向コイル４７との間に配置された絶縁枠４９は、両コイルを絶縁するとともに、両コイルを保持している。水平偏向コイル４７はＹ軸（第２軸）にほぼ沿った水平偏向磁界を発し、垂直偏向コイル４８はＸ軸（第１軸）にほぼ沿った垂直偏向磁界を発する。
【００２８】
このように構成された偏向ヨーク４は、図１に示したようにカラー受像管のファンネル２の外周面上に搭載されてカラー受像管装置が構成される。
【００２９】
次に、本実施の形態１の効果を説明する。
【００３０】
上述したように、図１９に示した従来のフェライトコア９０は、凸部９１の先端をファンネルの外周面に接近させようとすると、凸部９１の突出長が長くなり、この凸部９１が欠けるなどの問題を有していた。この問題を解決するために、本発明者らは、図８に示すようなフェライトコア８０を評価した。このフェライトコア８０は、複数の凸部８１を除いた内周面８３の断面形状がＺ軸方向の位置にかかわらず略長方形状である点で図１９のフェライトコア９０と異なる。図９はこのフェライトコア８０のＹＺ面での片断面図である。
【００３１】
このフェライトコア８０は、凸部８１の突出長を小さくすることができるため、図１９のフェライトコア９０が有していた凸部９１の欠けの問題を解消することができる。ところが、特に大径側端近傍のＹＺ面が交差する部分の肉厚Ｔが他の部分の肉厚に比べて異常に大きくなり、フェライトコア８０の焼成工程において、焼成条件の設定可能範囲が狭く、全体を均一に焼成することが困難であるという問題がある。また、肉厚Ｔの厚肉部分のためにフェライトコア８０の重量が増大するという問題もある。更に、重量の増大によりコスト増を招くという問題もある。
【００３２】
そこで、本発明者らは更に検討を進め、上述した本実施の形態１のフェライトコア４０を考案した。
【００３３】
フェライトコア４０は外周面のＸＹ断面形状が略円形であり、内周面に複数の凸部４１を備えたスロットコアであって、複数の凸部４１を除いたフェライトコア４０の内周面４３の断面形状は、小径側端近傍と大径側端近傍との間の部分で略長方形であり（図５参照）、大径側端近傍で略円形である（図６参照）。従って、本実施の形態１ように、Ｚ軸方向において内周面４３が略長方形の断面形状を有する部分に凸部４１を設けて偏向電力の低減効果を得ながら、フェライトコア４０の大径側の領域IVに凸部４１を設けない構成が可能となる。その結果、フェライトコア４０の大径側端には、図８のフェライトコア８０のような肉厚部分が存在しない。よって、焼成工程において焼成が容易である。また、フェライトコアの重量増加を招かず、従ってコストも増加しない。また、大径側端近傍において凸部４１が存在しないので、凸部４１の突出長が長くなることがなく、凸部４１が欠けるという問題も発生しない。
【００３４】
また、内周面４３の断面形状は、搭載されるファンネルの外周面のＸＹ断面形状に合致するように、小径側端の領域Ｉでの略円形から領域IIでの略長方形に変化しているので、これらの領域では凸部４１の突出長を極端に長くしなくても凸部４１の先端をファンネルの外周面に接近させることができる。従って、これらの領域で凸部４１の欠けを生じることがない。
【００３５】
フェライトコア４０は内周面に複数の凸部４１を備えたスロットコアであるので、従来のスロットコアと同様に、フェライトコア４０を受像管に近づけることができる。従って、偏向効率を改善でき、偏向電力の低減することができる。
【００３６】
また、垂直偏向コイル４８の巻線が凸部４１間の溝４２に嵌め込まれているので、垂直偏向コイル４８に磁束が鎖交しにくい。従って、渦電流損失が低減し、偏向ヨークの発熱も低減できる。
【００３７】
本実施の形態１では、大径側端近傍では凸部４１は存在しない。しかしながら、Ｚ軸方向において、大径側端近傍の部分は、それ以外の部分に比べて電子ビームからの距離がもともと遠いので、この大径側端近傍に凸部４１が存在しなくても、スロットコアが本来有する効果は十分に得ることができる。
【００３８】
また、Ｚ軸上の少なくとも１点でのＸＹ断面において複数の凸部４１の先端を順に結んで得られる閉曲線４４がＷＨ＞ＷＶを満足することにより、凸部４１の先端を、ＸＹ断面形状が略長方形であるファンネルの外周面に可能な限り接近させることができる。従って、偏向感度が向上し、且つ偏向電力を更に低減できる。
【００３９】
更に、フェライトコア４０の外周面のＸＹ断面形状は、Ｚ軸方向の位置にかかわらず、略円形である。従って、焼成工程において汎用の共通の固定治具を使用できる。複数種類のフェライトコアを同時に焼成する場合にも熱容量が同じ共通する固定治具を使用できるので、焼成条件の設定が容易である。従って、焼成工程を低コストで効率よく行うことができる。また、略円形であることにより、外周面の設計が容易である。
【００４０】
従って、本実施の形態１のフェライトコア４０を備えた偏向ヨーク４は、偏向感度の向上、偏向電力の低減、発熱の低減、生産性向上、低コスト化、軽量化を実現できる。
【００４１】
更に、このような偏向ヨーク４を備えたカラー受像管装置は、低消費電力、低発熱、低コスト、軽量化を実現できる。
【００４２】
上記に示した実施の形態では、Ｚ＝０〜３６ｍｍ内の全ての点でのＸＹ断面において定義される閉曲線４４がＷＨ＞ＷＶを満足するが、本発明はこれに限定されない。フェライトコア４０は、閉曲線４４がＷＨ＞ＷＶを満足するＸＹ断面を少なくとも１つ有していることが好ましい。特に、閉曲線４４がＷＨ＞ＷＶを満足するＸＹ断面が、上記の内周面４３が略長方形であるＺ軸方向の範囲内に有していることが好ましい。この好ましい構成により、凸部４１の突出長さを小さくすることができるので、凸部４１の欠け等の問題を更に低減することができる。
【００４３】
（実施の形態２）
図１０は、本発明の実施の形態２に係る偏向ヨークに使用されるフェライトコア４０の斜視図である。図１１は、本実施の形態２に係るフェライトコア４０のＹＺ面での片断面図である。図１０及び図１１に示されているように、本実施の形態２のフェライトコア４０は、内周面に形成された凸部４１が大径側端にまで延設されている点で、実施の形態１のフェライトコア４０と異なる。実施の形態１と共通する部分については説明を省略し、実施の形態１との相違点を中心に本実施の形態を説明する。
【００４４】
図１２は、フェライトコア４０の大径側端近傍の位置（Ｚ＝４３ｍｍ）でのＸＹ面での断面図である。これと同位置での実施の形態１のフェライトコア４０についてのＸＹ断面図を示した図６と比較すれば明らかなとおり、本実施の形態２ではフェライトコア４０の大径側領域（Ｚ＝３８〜４８ｍｍ）にも凸部４１が形成されている。なお、本実施の形態２のフェライトコア４０の小径側端近傍の位置（Ｚ＝３ｍｍ）でのＸＹ断面図、及び略中央位置（Ｚ＝２５ｍｍ）でのＸＹ断面図は、それぞれ図４、図５と同じである。また、本実施の形態２のフェライトコア４０を備えた本実施の形態２に係る偏向ヨーク４のＺ＝２５ｍｍの位置でのＸＹ断面図は、図７と同じである。
【００４５】
本実施の形態２も実施の形態１と同様の効果を奏する。
【００４６】
実施の形態１と同様に、Ｚ＝０〜３６ｍｍ内の全ての点でのＸＹ断面において定義される閉曲線４４がＷＨ＞ＷＶを満足するので、スロットコアの本来の効果は十分に発現する。従って、大径側端近傍での凸部４１の突出長さを小さくすることができるので、凸部４１の欠けを防止できる。但し、大径側端近傍での凸部４１の突出長さを可能な限り大きくすれば、偏向効率が向上し、偏向電力を低減できる。
【００４７】
（実施の形態３）
図１３は、本発明の実施の形態３に係るフェライトコア４０の小径側端近傍の位置（Ｚ＝３ｍｍ）でのＸＹ断面図、図１４は、本発明の実施の形態３に係るフェライトコア４０の略中央位置（Ｚ＝２５ｍｍ）でのＸＹ断面図、図１５は、本発明の実施の形態３に係るフェライトコア４０の大径側端近傍の位置（Ｚ＝４３ｍｍ）でのＸＹ断面図である。
【００４８】
本実施の形態３のフェライトコア４０が実施の形態１のフェライトコア４０と異なるのは、ＸＹ断面において、複数の凸部４１の先端を順に結んで得られる閉曲線（凸部４１の先端の包絡線）４４が略長方形である点である。閉曲線４４のＹ軸方向寸法は、Ｙ軸上にて最大値ＷＶをとる。Ｚ＝０〜３６ｍｍ内の全ての点でのＸＹ断面において定義される閉曲線４４がＷＨ＞ＷＶを満足することについては実施の形態１のフェライトコア４０と同じである。
【００４９】
図１６は、本実施の形態３のフェライトコア４０を備えた本実施の形態３に係る偏向ヨーク４のＺ＝２５ｍｍの位置でのＸＹ断面図である。絶縁枠４９は、略長方形の閉曲線４４に沿うような略長方形のＸＹ断面形状を有している。
【００５０】
本実施の形態３は、上記以外は実施の形態１と同じであり、実施の形態１と同様の効果を奏する。
【００５１】
上記の実施の形態１〜３において、水平偏向コイル４７の巻線は、図１７〜図１９と同様に、凸部４１間の溝４２内に嵌め込まれるように巻装されていても良い。これにより、水平偏向コイル４７に鎖交する磁束が少なくなるので渦電流損失と発熱を更に低減できる。
【００５２】
上記の実施の形態１〜３では、複数の凸部４１は全てほぼＺ軸に向かって突出していたが、本発明はこれに限定されない。例えば、ＸＹ断面において、凸部４１はＸ軸又はＹ軸にほぼ平行に突出していても良い。
【００５３】
本発明において、凸部が「フェライトコアの小径側端と大径側端とを結ぶ方向に沿った畝状である」とは、畝状の凸部４１が延びている概略方向を示している。畝状の凸部４１の方向は、上記の実施の形態１〜３に示したように、Ｚ軸を含む面にほぼ沿っている必要はない。例えば、ＸＹ断面における凸部４１のＺ軸に対する周方向位置が、Ｚ軸方向位置に応じて変化していても良い。より具体的には、例えば、凸部４１が、フェライトコア４０の小径側端と大径側端との間に螺旋状に延びていても良い。
【００５４】
凸部は小径側端と大径側端との間の全領域に存在している必要はなく、小径側端近傍、大径側端近傍、あるいはこれらの間の１又は複数の区間において、凸部が存在していない領域があっても良い。
【００５５】
上記の実施の形態１〜３では、小径側端近傍での複数の凸部４１を除いたフェライトコア４０の内周面４３のＸＹ断面における断面形状は略円形であったが、本発明はこれに限定されず、例えば略長方形であっても良い。但し、一般に、フェライトコア４０の小径側端近傍が対向する位置でのファンネル２の外周面のＸＹ断面形状は略円形であるので、フェライトコア４０の小径側端近傍での内周面４３のＸＹ断面形状が略円形であると、フェライトコア４０を電子ビームに接近させることができるので好ましい。
【００５６】
上記の実施の形態１〜３では、Ｚ軸上の少なくとも１点でのＸＹ断面において、複数の凸部４１の先端を順に結んで得られる閉曲線４４がＷＨ＞ＷＶを満足していたが、本発明はこれに限定されない。例えば、偏向電力の低減効果は実施の形態１〜３に劣るものの、Ｚ軸方向の位置にかかわらず閉曲線４４が円形であっても良い。
【００５７】
本発明において、ＸＹ断面において、フェライトコア４０の内／外周面の断面形状が「略円形」であるとは、実質的に円形であると判断できる形状を意味し、例えば、製造誤差に基づく歪みが存在する場合や、表面に微小な突起や窪みが存在する場合を含む。
【産業上の利用可能性】
【００５８】
本発明の利用分野は特に限定されず、例えばテレビジョンまたはコンピュータディスプレイ等のカラー受像管装置に広範囲に利用できる。
【図面の簡単な説明】
【００５９】
【図１】本発明に係るカラー受像管装置の一例の片断面図
【図２】本発明の実施の形態１に係る偏向ヨークに使用されるフェライトコアの斜視図
【図３】本発明の実施の形態１に係るフェライトコアの中心軸及び垂直方向軸を含む面での片断面図
【図４】本発明の実施の形態１，２に係るフェライトコアの小径側端近傍の位置での中心軸に垂直な面での断面図
【図５】本発明の実施の形態１，２に係るフェライトコアの中心軸方向の略中央部での中心軸に垂直な面での断面図
【図６】本発明の実施の形態１に係るフェライトコアの大径側端近傍の位置での中心軸に垂直な面での断面図
【図７】本発明の実施の形態１，２に係る偏向ヨークの中心軸方向の略中央部での中心軸に垂直な面での断面図
【図８】比較例に係るフェライトコアの斜視図
【図９】比較例に係るフェライトコアの中心軸及び垂直方向軸を含む面での片断面図
【図１０】本発明の実施の形態２に係る偏向ヨークに使用されるフェライトコアの斜視図
【図１１】本発明の実施の形態２に係るフェライトコアの中心軸及び垂直方向軸を含む面での片断面図
【図１２】本発明の実施の形態２に係るフェライトコアの大径側端近傍の位置での中心軸に垂直な面での断面図
【図１３】本発明の実施の形態３に係るフェライトコアの小径側端近傍の位置での中心軸に垂直な面での断面図
【図１４】本発明の実施の形態３に係るフェライトコアの中心軸方向の略中央部での中心軸に垂直な面での断面図
【図１５】本発明の実施の形態３に係るフェライトコアの大径側端近傍の位置での中心軸に垂直な面での断面図
【図１６】本発明の実施の形態３に係る偏向ヨークの中心軸方向の略中央部での中心軸に垂直な面での断面図
【図１７】従来のスロットコアを有する偏向ヨークの一例の管軸に垂直な面での断面図
【図１８】従来のスロットコアを有する偏向ヨークの別の例の管軸に垂直な面での断面図
【図１９】従来のスロットコアを有する偏向ヨークの更に別の例の管軸に垂直な面での断面図
【符号の説明】
【００６０】
１Ａ  蛍光体スクリーン
１  前面パネル
２  ファンネル
３  ネック部
４  偏向ヨーク
５  ＣＰＵ
６  電子銃
７  電子ビーム
４０  フェライトコア
４１  凸部
４２  溝
４３  フェライトコアの内周面
４４  凸部の先端を結ぶ閉曲線（凸部の先端の包絡線）
４７  水平偏向コイル
４８  垂直偏向コイル
４９  絶縁枠
【図１】
2005322627.tif 000003
【図２】
2005322627.tif 000004
【図３】
2005322627.tif 000005
【図４】
2005322627.tif 000006
【図５】
2005322627.tif 000007
【図６】
2005322627.tif 000008
【図７】
2005322627.tif 000009
【図８】
2005322627.tif 000010
【図９】
2005322627.tif 000011
【図１０】
2005322627.tif 000012
【図１１】
2005322627.tif 000013
【図１２】
2005322627.tif 000014
【図１３】
2005322627.tif 000015
【図１４】
2005322627.tif 000016
【図１５】
2005322627.tif 000017
【図１６】
2005322627.tif 000018
【図１７】
2005322627.tif 000019
【図１８】
2005322627.tif 000020
【図１９】
2005322627.tif 000021